【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
情報発信会員端末がネットワークを介して発信しようとする発信情報のページが掲示される発信情報掲示手段と、
前記発信情報掲示手段に掲示された発信情報のページへのアクセス行為およびアクセスされたページの番地を検出する監視手段と、
前記監視手段がアクセス行為を検出したことを条件として、前記ページへのアクセス回数をカウントするカウント手段と、
各ページにおけるアクセス回数の上限値が記憶された上限値記憶手段と、
前記上限値記憶手段に記憶されたアクセス回数の上限値と、前記カウント手段がカウントしたアクセス回数のカウント値とを比較する比較手段と、
前記比較手段による比較の結果、アクセス回数のカウント値が上限値に達したことを条件として、所定の処理を実行する処理手段と
を有することを特徴とする情報掲示システム。
【請求項２】
前記監視手段がアクセス行為を検出したことを条件として、前記ページに対する掲載料の課金額を積算する積算手段を有し、
前記上限値記憶手段には、各ページに対する課金額の上限値が記憶され、
前記比較手段は、前記上限値記憶手段に記憶された課金額の上限値と、前記積算手段が積算した課金額の積算値とを比較し、
前記処理手段は、前記比較手段による比較の結果、課金額の積算値が上限値に達したことを条件として、所定の処理を実行する
ことを特徴とする請求項１に記載の情報掲示システム。
【請求項３】
前記監視手段は、前記ページへのアクセスに使用された端末の種類を検出し、
前記積算手段は、前記監視手段が検出した端末の種類毎に割合が異なる課金額を積算する
ことを特徴とする請求項２に記載の情報掲示システム。
【請求項４】
前記監視手段は、前記ページへのアクセスに使用された端末の種類を検出し、
前記カウント手段は、端末の種類ごとにアクセス回数をカウントし、
前記上限値記憶手段は、端末の種類ごとに上限値を保持し、
前記比較手段は、端末の種類ごとの上限値とカウント値とを比較する
ことを特徴とする請求項１から３のいずれかに記載の情報掲示システム。
【請求項５】
情報掲示システムを管理する事務局端末または情報発信会員端末への通知を行う通知手段を有し、
前記処理手段は、前記比較手段による比較の結果、アクセス回数のカウント値または課金額の積算値が上限値に達したことを条件として、前記通知手段を介して、事務局または情報発信会員に、アクセス回数のカウント値または課金額の積算値が上限値に達した旨を通知することを特徴とする請求項１から４のいずれかに記載の情報掲示システム。
【請求項６】
前記処理手段は、前記比較手段による比較の結果、アクセス回数のカウント値または課金額の積算値が上限値に達したことを条件として、前記ページの内容を変更することを特徴とする請求項１から５のいずれかに記載の情報掲示システム。
【請求項７】
前記処理手段は、前記ページの内容の変更を、アクセス回数のカウント値または課金額の積算値が上限値に達した後の所定のタイミングで行うことを特徴とする請求項６に記載の情報掲示システム。
【請求項８】
前記処理手段は、前記比較手段による比較の結果、アクセス回数のカウント値または課金額の積算値が上限値に達したことを条件として、前記カウント手段によるカウントまたは前記積算手段による積算を停止させることを特徴とする請求項１から７のいずれかに記載の情報掲示システム。
【請求項９】
前記処理手段は、前記カウント手段によるカウントの停止または前記積算手段による積算の停止を、アクセス回数のカウント値または課金額の積算値が上限値に達した後の所定のタイミングで行うことを特徴とする請求項８に記載の情報掲示システム。
【請求項１０】
前記監視手段は、前記監視手段は、前記ページへのアクセスに使用された端末の環境を検出し、
前記監視手段が検出した各情報を蓄積するログ蓄積手段と、
前記ログ蓄積手段に蓄積された、直前のアクセスにおける端末の環境と、前記監視手段が検出した、今回のアクセスにおける端末の環境とが異なることを条件として、アクセス回数のカウント、またはアクセス回数のカウントおよび課金額の積算を許可するカウント許可手段とを有することを特徴とする請求項１から９のいずれかに記載の情報掲示システム。
【請求項１１】
前記端末の環境は、端末の種類、端末のアドレス、ブラウザの種類、端末のＩＤのうち少なくともいずれか１つを含むことを特徴とする請求項１０に記載の情報掲示システム。
【請求項１２】
前記カウント許可手段は、前記ログ蓄積手段に蓄積された情報の中に、今回のアクセスにおける端末の環境と一致するアクセスがないことを条件として、アクセス回数のカウント、またはアクセス回数のカウントおよび課金額の積算を許可することを特徴とする請求項１０に記載の情報掲示システム。
【請求項１３】
前記監視手段は、前記ページへアクセスされた時刻を検出し、
前記カウント許可手段は、前記ログ蓄積手段に蓄積された、端末条件が同じである直前のアクセス時刻と、前記監視手段が検出した、今回のアクセス時刻との時間差が、所定値以上であることを条件として、アクセス回数のカウント、またはアクセス回数のカウントおよび課金額の積算を許可することを特徴とする請求項１０に記載の情報掲示システム。
【請求項１４】
前記監視手段は、端末が今回アクセスしたページの番地と、この端末が今回のアクセスの直前にアクセスしたページの番地とを検出し、前記カウント許可手段は、前記監視手段が検出した、今回の番地と、直前の番地とが異なることを条件として、アクセス回数のカウント、またはアクセス回数のカウントおよび課金額の積算を許可することを特徴とする請求項１０から１３のいずれかに記載の情報掲示システム。
【請求項１５】
前記カウント許可手段は、前記監視手段が、直前の番地を検出できなかったことを条件として、アクセス回数のカウント、またはアクセス回数のカウントおよび課金額の積算を許可することを特徴とする請求項１４に記載の情報掲示システム。
【請求項１６】
前記ページ毎に特定の端末のアドレスが記憶された特定端末アドレス記憶手段を有し、
前記カウント許可手段は、前記特定端末アドレス記憶手段に記憶された、特定の端末のアドレスと、前記監視手段が検出した、ユーザが前記ページへのアクセスに使用した端末のアドレスとが異なることを条件として、アクセス回数のカウント、またはアクセス回数のカウントおよび課金額の積算を許可することを特徴とする請求項１０から１５のいずれかに記載の情報掲示システム。
【請求項１７】
情報発信会員端末がネットワークを介して発信しようとする発信情報のページを掲示する発信情報掲示ステップと、
前記発信情報掲示ステップで掲示された発信情報のページへのアクセス行為およびアクセスされたページの番地を検出する監視ステップと、
この監視ステップでアクセス行為を検出したことを条件として、前記ページへのアクセス回数をカウントするカウントステップと、
各ページにおけるアクセス回数の上限値を記憶しておく上限値記憶ステップと、
前記上限値記憶ステップで記憶されたアクセス回数の上限値と、前記カウントステップでカウントしたアクセス回数のカウント値とを比較する比較ステップと、
前記比較ステップでの比較の結果、アクセス回数のカウント値が上限値に達したことを条件として、所定の処理を実行する処理ステップと
を有することを特徴とする情報掲示方法。
【請求項１８】
情報発信会員端末がネットワークを介して発信しようとする発信情報のページを掲示する発信情報掲示ステップと、
前記発信情報掲示ステップで掲示された発信情報のページへのアクセス行為およびアクセスされたページの番地を検出する監視ステップと、
前記監視ステップでアクセス行為を検出したことを条件として、前記ページへのアクセス回数をカウントするカウントステップと、
各ページにおけるアクセス回数の上限値を記憶しておく上限値記憶ステップと、
前記上限値記憶ステップで記憶されたアクセス回数の上限値と、前記カウントステップでカウントしたアクセス回数のカウント値とを比較する比較ステップと、
前記比較ステップでの比較の結果、アクセス回数のカウント値が上限値に達したことを条件として、所定の処理を実行する処理ステップと
をコンピュータに実行させることを特徴とする情報掲示プログラム。
【請求項１９】
所定のページへのアクセス行為およびアクセスされたページの番地と、前記ページへのアクセスに使用された端末の環境とを検出する監視手段と、
前記監視手段が検出した各情報を蓄積するログ蓄積手段と、
前記ログ蓄積手段に蓄積された、直前のアクセスにおける端末の環境と、前記監視手段が検出した、今回のアクセスにおける端末の環境とが異なることを条件として、アクセス回数のカウントを許可するカウント許可手段と、
前記カウント許可手段がカウントを許可したことを条件として、前記ページへのアクセス回数をカウントするカウント手段と
を有することを特徴とするカウント装置。
【請求項２０】
所定のページへのアクセス行為およびアクセスされたページの番地と、前記ページへのアクセスに使用された端末の環境とを検出する監視ステップと、
前記監視ステップで検出した各情報を蓄積するログ蓄積ステップと、
前記ログ蓄積ステップで蓄積された、直前のアクセスにおける端末の環境と、
前記監視ステップで検出した、今回のアクセスにおける端末の環境とが異なることを条件として、アクセス回数のカウントを許可するカウント許可ステップと、
前記カウント許可ステップでカウントを許可したことを条件として、前記ページへのアクセス回数をカウントするカウントステップと
を有することを特徴とするカウント方法。
【請求項２１】
所定のページへのアクセス行為およびアクセスされたページの番地と、前記ページへのアクセスに使用された端末の環境とを検出する監視ステップと、
前記監視ステップで検出した各情報を蓄積するログ蓄積ステップと、
前記ログ蓄積ステップで蓄積された、直前のアクセスにおける端末の環境と、前記監視ステップで検出した、今回のアクセスにおける端末の環境とが異なることを条件として、アクセス回数のカウントを許可するカウント許可ステップと、
前記カウント許可ステップでカウントを許可したことを条件として、前記ページへのアクセス回数をカウントするカウントステップと
をコンピュータに実行させることを特徴とするカウントプログラム。
【手続補正２】
【補正対象書類名】明細書
【補正対象項目名】０００７
【補正方法】変更
【補正の内容】
【０００７】
【課題を解決するための手段】
本発明の情報掲示システムは、情報発信会員端末がネットワークを介して発信しようとする発信情報のページが掲示される発信情報掲示手段と、前記発信情報掲示手段に掲示された発信情報のページへのアクセス行為およびアクセスされたページの番地を検出する監視手段と、前記監視手段がアクセス行為を検出したことを条件として、前記ページへのアクセス回数をカウントするカウント手段と、各ページにおけるアクセス回数の上限値が記憶された上限値記憶手段と、前記上限値記憶手段に記憶されたアクセス回数の上限値と、前記カウント手段がカウントしたアクセス回数のカウント値とを比較する比較手段と、前記比較手段による比較の結果、アクセス回数のカウント値が上限値に達したことを条件として、所定の処理を実行する処理手段とを有することを特徴とする。
【手続補正３】
【補正対象書類名】明細書
【補正対象項目名】０００８
【補正方法】変更
【補正の内容】
【０００８】
また、前記監視手段がアクセス行為を検出したことを条件として、前記ページに対する掲載料の課金額を積算する積算手段を有し、前記上限値記憶手段には、各ページに対する課金額の上限値が記憶され、前記比較手段は、前記上限値記憶手段に記憶された課金額の上限値と、前記積算手段が積算した課金額の積算値とを比較し、前記処理手段は、前記比較手段による比較の結果、課金額の積算値が上限値に達したことを条件として、所定の処理を実行するようにしてもよい。
【手続補正４】
【補正対象書類名】明細書
【補正対象項目名】０００９
【補正方法】変更
【補正の内容】
【０００９】
また、前記監視手段は、前記ページへのアクセスに使用された端末の種類を検出し、  前記積算手段は、前記監視手段が検出した端末の種類毎に割合が異なる課金額を積算するようにしてもよい。
また、前記監視手段は、前記ページへのアクセスに使用された端末の種類を検出し、  前記カウント手段は、端末の種類ごとにアクセス回数をカウントし、前記上限値記憶手段は、端末の種類ごとに上限値を保持し、前記比較手段は、端末の種類ごとの上限値とカウント値とを比較するようにしてもよい。
【手続補正５】
【補正対象書類名】明細書
【補正対象項目名】００１０
【補正方法】変更
【補正の内容】
【００１０】
また、情報掲示システムを管理する事務局端末または情報発信会員端末への通知を行う通知手段を有し、前記処理手段は、前記比較手段による比較の結果、アクセス回数のカウント値または課金額の積算値が上限値に達したことを条件として、前記通知手段を介して、事務局または情報発信会員に、アクセス回数のカウント値または課金額の積算値が上限値に達した旨を通知するようにしてもよい。
【手続補正６】
【補正対象書類名】明細書
【補正対象項目名】００１１
【補正方法】変更
【補正の内容】
【００１１】
また、前記処理手段は、前記比較手段による比較の結果、アクセス回数のカウント値または課金額の積算値が上限値に達したことを条件として、前記ページの内容を変更するようにしてもよい。
【手続補正７】
【補正対象書類名】明細書
【補正対象項目名】００１２
【補正方法】変更
【補正の内容】
【００１２】
また、前記処理手段は、前記ページの内容の変更を、アクセス回数のカウント値または課金額の積算値が上限値に達した後の所定のタイミングで行うようにしてもよい。
【手続補正８】
【補正対象書類名】明細書
【補正対象項目名】００１３
【補正方法】変更
【補正の内容】
【００１３】
また、前記処理手段は、前記比較手段による比較の結果、アクセス回数のカウント値または課金額の積算値が上限値に達したことを条件として、前記カウント手段によるカウントまたは前記積算手段による積算を停止させるようにしてもよい。
【手続補正９】
【補正対象書類名】明細書
【補正対象項目名】００１４
【補正方法】変更
【補正の内容】
【００１４】
また、前記処理手段は、前記カウント手段によるカウントの停止または前記積算手段による積算の停止を、アクセス回数のカウント値または課金額の積算値が上限値に達した後の所定のタイミングで行うようにしてもよい。
【手続補正１０】
【補正対象書類名】明細書
【補正対象項目名】００１５
【補正方法】変更
【補正の内容】
【００１５】
また、前記監視手段は、前記監視手段は、前記ページへのアクセスに使用された端末の環境を検出し、前記監視手段が検出した各情報を蓄積するログ蓄積手段と、前記ログ蓄積手段に蓄積された、直前のアクセスにおける端末の環境と、前記監視手段が検出した、今回のアクセスにおける端末の環境とが異なることを条件として、アクセス回数のカウント、またはアクセス回数のカウントおよび課金額の積算を許可するカウント許可手段とを有するようにしてもよい。
また、前記端末の環境は、端末の種類、端末のアドレス、ブラウザの種類、端末のＩＤのうち少なくともいずれか１つを含むようにしてもよい。
また、前記カウント許可手段は、前記ログ蓄積手段に蓄積された情報の中に、今回のアクセスにおける端末の環境と一致するアクセスがないことを条件として、アクセス回数のカウント、またはアクセス回数のカウントおよび課金額の積算を許可するようにしてもよい。
【手続補正１１】
【補正対象書類名】明細書
【補正対象項目名】００１６
【補正方法】変更
【補正の内容】
【００１６】
また、前記監視手段は、前記ページへアクセスされた時刻を検出し、前記カウント許可手段は、前記ログ蓄積手段に蓄積された、端末条件が同じである直前のアクセス時刻と、前記監視手段が検出した、今回のアクセス時刻との時間差が、所定値以上であることを条件として、アクセス回数のカウント、またはアクセス回数のカウントおよび課金額の積算を許可するようにしてもよい。
【手続補正１２】
【補正対象書類名】明細書
【補正対象項目名】００１７
【補正方法】変更
【補正の内容】
【００１７】
また、前記監視手段は、端末が今回アクセスしたページの番地と、この端末が今回のアクセスの直前にアクセスしたページの番地とを検出し、前記カウント許可手段は、前記監視手段が検出した、今回の番地と、直前の番地とが異なることを条件として、アクセス回数のカウント、またはアクセス回数のカウントおよび課金額の積算を許可するようにしてもよい。
【手続補正１３】
【補正対象書類名】明細書
【補正対象項目名】００１８
【補正方法】変更
【補正の内容】
【００１８】
また、前記カウント許可手段は、前記監視手段が、直前の番地を検出できなかったことを条件として、アクセス回数のカウント、またはアクセス回数のカウントおよび課金額の積算を許可するようにしてもよい。
【手続補正１４】
【補正対象書類名】明細書
【補正対象項目名】００１９
【補正方法】変更
【補正の内容】
【００１９】
また、前記ページ毎に特定の端末のアドレスが記憶された特定端末アドレス記憶手段を有し、前記カウント許可手段は、前記特定端末アドレス記憶手段に記憶された、特定の端末のアドレスと、前記監視手段が検出した、ユーザが前記ページへのアクセスに使用した端末のアドレスとが異なることを条件として、アクセス回数のカウント、またはアクセス回数のカウントおよび課金額の積算を許可するようにしてもよい。
【手続補正１５】
【補正対象書類名】明細書
【補正対象項目名】００２０
【補正方法】変更
【補正の内容】
【００２０】
また、本発明の情報掲示方法は、情報発信会員端末がネットワークを介して発信しようとする発信情報のページを掲示する発信情報掲示ステップと、前記発信情報掲示ステップで掲示された発信情報のページへのアクセス行為およびアクセスされたページの番地を検出する監視ステップと、この監視ステップでアクセス行為を検出したことを条件として、前記ページへのアクセス回数をカウントするカウントステップと、各ページにおけるアクセス回数の上限値を記憶しておく上限値記憶ステップと、前記上限値記憶ステップで記憶されたアクセス回数の上限値と、前記カウントステップでカウントしたアクセス回数のカウント値とを比較する比較ステップと、前記比較ステップでの比較の結果、アクセス回数のカウント値が上限値に達したことを条件として、所定の処理を実行する処理ステップとを有することを特徴とする。
【手続補正１６】
【補正対象書類名】明細書
【補正対象項目名】００２１
【補正方法】変更
【補正の内容】
【００２１】
また、本発明の情報掲示プログラムは、情報発信会員端末がネットワークを介して発信しようとする発信情報のページを掲示する発信情報掲示ステップと、前記発信情報掲示ステップで掲示された発信情報のページへのアクセス行為およびアクセスされたページの番地を検出する監視ステップと、前記監視ステップでアクセス行為を検出したことを条件として、前記ページへのアクセス回数をカウントするカウントステップと、各ページにおけるアクセス回数の上限値を記憶しておく上限値記憶ステップと、  前記上限値記憶ステップで記憶されたアクセス回数の上限値と、前記カウントステップでカウントしたアクセス回数のカウント値とを比較する比較ステップと、前記比較ステップでの比較の結果、アクセス回数のカウント値が上限値に達したことを条件として、所定の処理を実行する処理ステップとをコンピュータに実行させることを特徴とする。
【手続補正１７】
【補正対象書類名】明細書
【補正対象項目名】００２２
【補正方法】変更
【補正の内容】
【００２２】
また、本発明のカウント装置は、所定のページへのアクセス行為およびアクセスされたページの番地と、前記ページへのアクセスに使用された端末の環境とを検出する監視手段と、前記監視手段が検出した各情報を蓄積するログ蓄積手段と、前記ログ蓄積手段に蓄積された、直前のアクセスにおける端末の環境と、前記監視手段が検出した、今回のアクセスにおける端末の環境とが異なることを条件として、アクセス回数のカウントを許可するカウント許可手段と、前記カウント許可手段がカウントを許可したことを条件として、前記ページへのアクセス回数をカウントするカウント手段とを有することを特徴とする。
前記端末の環境は、端末の種類を含むようにしてもよい。
また、前記端末の環境は、端末のアドレスを含むようにしてもよい。
また、前記端末の環境は、ブラウザの種類を含むようにしてもよい。
【手続補正１８】
【補正対象書類名】明細書
【補正対象項目名】００２３
【補正方法】変更
【補正の内容】
【００２３】
また、上記のカウント装置において、前記監視手段は、前記ページへアクセスされた時刻を検出し、前記カウント許可手段は、前記ログ蓄積手段に蓄積された、端末条件が同じである直前のアクセス時刻と、前記監視手段が検出した、今回のアクセス時刻との時間差が、所定値以上であることを条件として、アクセス回数のカウントを許可するようにしてもよい。
【手続補正１９】
【補正対象書類名】明細書
【補正対象項目名】００２４
【補正方法】変更
【補正の内容】
【００２４】
また、上記のカウント装置において、前記監視手段は、端末が今回アクセスしたページの番地と、この端末が今回のアクセスの直前にアクセスしたページの番地とを検出し、前記カウント許可手段は、前記監視手段が検出した、今回の番地と、直前の番地とが異なることを条件として、アクセス回数のカウントを許可するようにしてもよい。
【手続補正２０】
【補正対象書類名】明細書
【補正対象項目名】００２５
【補正方法】変更
【補正の内容】
【００２５】
また、上記のカウント装置において、前記カウント許可手段は、前記監視手段が、直前の番地を検出できなかったことを条件として、アクセス回数のカウントを許可するようにしてもよい。
【手続補正２１】
【補正対象書類名】明細書
【補正対象項目名】００２６
【補正方法】変更
【補正の内容】
【００２６】
また、上記のカウント装置において、前記ページ毎に特定の端末のアドレスが記憶された特定端末アドレス記憶手段を有し、前記カウント許可手段は、前記特定端末アドレス記憶手段に記憶された、特定の端末のアドレスと、前記監視手段が検出した、前記ページへのアクセスに使用した端末のアドレスとが異なることを条件として、アクセス回数のカウントを許可するようにしてもよい。
【手続補正２２】
【補正対象書類名】明細書
【補正対象項目名】００２７
【補正方法】変更
【補正の内容】
【００２７】
本発明のカウント方法は、所定のページへのアクセス行為およびアクセスされたページの番地と、前記ページへのアクセスに使用された端末の環境とを検出する監視ステップと、前記監視ステップで検出した各情報を蓄積するログ蓄積ステップと、前記ログ蓄積ステップで蓄積された、直前のアクセスにおける端末の環境と、前記監視ステップで検出した、今回のアクセスにおける端末の環境とが異なることを条件として、アクセス回数のカウントを許可するカウント許可ステップと、前記カウント許可ステップでカウントを許可したことを条件として、前記ページへのアクセス回数をカウントするカウントステップとを有することを特徴とする。
前記端末の環境は、端末の種類を含むようにしてもよい。
また、前記端末の環境は、端末のアドレスを含むようにしてもよい。
また、前記端末の環境は、ブラウザの種類を含むようにしてもよい。
【手続補正２３】
【補正対象書類名】明細書
【補正対象項目名】００２８
【補正方法】変更
【補正の内容】
【００２８】
本発明のカウントプログラムは、所定のページへのアクセス行為およびアクセスされたページの番地と、前記ページへのアクセスに使用された端末の環境とを検出する監視ステップと、前記監視ステップで検出した各情報を蓄積するログ蓄積ステップと、  前記ログ蓄積ステップで蓄積された、直前のアクセスにおける端末の環境と、前記監視ステップで検出した、今回のアクセスにおける端末の環境とが異なることを条件として、アクセス回数のカウントを許可するカウント許可ステップと、前記カウント許可ステップでカウントを許可したことを条件として、前記ページへのアクセス回数をカウントするカウントステップとをコンピュータに実行させることを特徴とする。
前記端末の環境は、端末の種類を含むようにしてもよい。
また、前記端末の環境は、端末のアドレスを含むようにしてもよい。
また、前記端末の環境は、ブラウザの種類を含むようにしてもよい。